(57)【要約】      （修正有）【課題】迅速に天板の連結を容易且つ確実にするための天板連結具及びデスクの連結構造を提供する。【解決手段】天板１１の縁部同士が密接している複数のデスク同士を連結するためのものであって、前記天板１１の面上において平面視複数の天板１１に亘る位置に位置付けられる連結具本体２１と、この連結具本体２１に取付けられ、前記複数の天板１１にそれぞれ設けられたオプション取付け用の開口１７にそれぞれ嵌入するための複数の嵌入部２２とを具備する。【選択図】図３
2012090691.tif 000002
【特許請求の範囲】
【請求項１】
天板の縁部同士が密接している複数のデスク同士を連結するためのものであって、
前記天板の面上において平面視複数の天板に亘る位置に位置付けられる連結具本体と、
この連結具本体に取付けられ、前記複数の天板にそれぞれ設けられたオプション取付け用の開口にそれぞれ嵌入するための複数の嵌入部とを具備することを特徴とする天板連結具。
【請求項２】
前記オプション取付け用の開口が、天板の反使用縁部に設けられたものであり、前記天板の反使用縁部同士を連結するものである請求項１記載の天板連結具。
【請求項３】
前記オプション取付け用の開口が、天板の側縁部に設けられたものであり、前記天板の側縁部同士を連結するものである請求項１または２記載の天板連結具。
【請求項４】
天板の縁部同士が密接している複数のデスク同士を連結するためのものであって、
複数の天板にそれぞれ設けられたオプション取付け用の開口と、
当該オプション取付け用の開口に嵌入するための複数の嵌入部と、
前記天板の面上において平面視複数の天板に亘る位置に位置付けられ、前記複数の嵌入部同士を連結する連結具本体とを具備することを特徴とするデスクの連結構造。
【請求項５】
前記嵌入部に設けられた金属製の当接部と、前記オプション取付け用の開口の内部に面する金属製の被当接部とが互いに当接するものである請求項４記載のデスクの連結構造。
【請求項６】
前記嵌入部に設けられた樹脂性の係合部と、前記オプション取付け用の開口内部に面する樹脂性の被係合部とが互いに係合することにより、前記嵌入部が前記オプション取付け用の開口内部に位置決めされるものである請求項４または５記載のデスクの連結構造。
【発明の詳細な説明】
【技術分野】
【０００１】
本発明は、複数のデスクの天板同士を連結するための天板連結具及びデスクの連結構造に関するものである。
【背景技術】
【０００２】
室内に配置した家具が地震発生時に激しく揺れ動きまたは転倒して被害が発生することを予防するべく、固定具を使用して家具を建築構造物の壁面や床面に固定することが従来より行われている（例えば、特許文献１及び特許文献２を参照）。
【０００３】
ここで、大型の書棚や収納庫等の一定の場所に常設される家具であれば、これを完全に固定してしまっても特段の支障はない。だが、デスクの場合であれば、模様替えや清掃、あるいはコード類の配線作業等の際に移動させる機会が生じることから、壁や床に固定してしまうと少なからず不便になる。また、諸事情により壁や床に固定具を取着できない場合もある。
【０００４】
そこで近年オフィスにおいて、例えば同種のデスク同士を、天板の縁部同士を密着させた状態で連結することにより、地震発生時の被害を予防するためのデスクの連結構造が開示されている(例えば、特許文献３参照)。このようにすることで、地震により個々のデスクが激しく揺れ動いたり倒れてしまったりすることを有効に回避することができる。
【０００５】
しかしながら、近年のオフィスでは頻繁にデスクの配置が変更されることが考えられ、斯かる天板の連結構造についても、より簡易な構造が求められている。さらに、特許文献３のような天板連結用の格別な構成要素を具備していないものであると、依然として天板の連結を行う事ができず、構成部品の大幅な変更等を余儀なくされるということも考えられる。
【先行技術文献】
【特許文献】
【０００６】
【特許文献１】特開平０８−２９９０８６号公報
【特許文献２】特開平０９−１３１２３５号公報
【特許文献３】特開２００６−３０７９７６号公報
【発明の概要】
【発明が解決しようとする課題】
【０００７】
本発明は、上述したような課題のうち、迅速に天板の連結を容易且つ確実にすることを目的としている。
【課題を解決するための手段】
【０００８】
本発明は、このような目的を達成するために、次のような手段を講じたものである。
【０００９】
すなわち本発明に係る天板連結具は、天板の縁部同士が密接している複数のデスク同士を連結するためのものであって、前記天板の面上において平面視複数の天板に亘る位置に位置付けられる連結具本体と、この連結具本体に取付けられ、前記複数の天板にそれぞれ設けられたオプション取付け用の開口にそれぞれ嵌入するための複数の嵌入部とを具備することを特徴とする。
【００１０】
ここで、「嵌入」とは、厳密に隙間無く開口に嵌る態様のみに限定されることはなく、開口に対して移動不能に挿入されるものであれば良いという概念である。
【００１１】
このようなものであれば、天板に設けられたオプション取付け用の開口を利用して、容易且つ確実にデスクの天板同士を連結することができる。その結果、オフィス内のデスクの配置を頻繁に変更しても、容易且つ速やかに天板同士を連結することにより、地震による被害を有効に抑え得る態様をすぐに実現することが可能となる。
【００１２】
この天板取付具により天板同士を連結する具体的な態様としては、オプション取付け用の開口が、天板の反使用縁部に設けられたものであれば、天板の反使用縁部同士を連結する態様や、オプション取付け用の開口が、天板の側縁部に設けられたものであれば、天板の側縁部同士を連結する態様を挙げることができる。
【００１３】
また本発明に係るデスクの連結構造は、天板の縁部同士が密接している複数のデスク同士を連結するためのものであって、複数の天板にそれぞれ設けられたオプション取付け用の開口と、当該オプション取付け用の開口に嵌入するための複数の嵌入部と、前記天板の面上において平面視複数の天板に亘る位置に位置付けられ、前記複数の嵌入部同士を連結する連結具本体とを具備することを特徴とするものである。
【００１４】
そして斯かる取付構造により確実に天板同士を連結するためには、嵌入部に設けられた金属製の当接部と、前記オプション取付け用の開口の内部に面する金属製の被当接部とが互いに当接するようにすることが望ましい。
【００１５】
また、天板に対する嵌入部の装着並びに取り外しを容易に行いつつ確実に位置決めし得る態様として、嵌入部に設けられた樹脂性の係合部と、オプション取付け用の開口内部に面する樹脂性の被係合部とが互いに係合することにより、嵌入部がオプション取付け用の開口内部に位置決めされる態様を挙げることができる。
【発明の効果】
【００１６】
本発明によれば、オフィス内のデスクの配置を頻繁に変更しても、容易且つ速やかに天板同士を連結することができる天板連結具並びにデスクの連結構造を提供することができる。
【図面の簡単な説明】
【００１７】
【図１】本発明の一実施形態に係る外観図。
【図２】同実施形態に係る要部の外観図。
【図３】同構成説明図。
【図４】同実施形態に係る要部の斜視図。
【図５】同分解斜視図。
【図６】同実施形態に係る要部の他の斜視図。
【図７】同上。
【図８】同実施形態に係る要部の外観図。
【図９】同分解斜視図。
【図１０】同構成説明図。
【図１１】同実施形態に係る断面図。
【発明を実施するための形態】
【００１８】
以下、本発明の一実施の形態について図面を参照して説明する。
【００１９】
本実施形態に係る天板連結具２及びアジャスタカバー３、そしてデスク１の連結構造Ｘは、例えば図１に示されるような、地震による被害を有効に抑えることができるデスクシステムＳに好適に適用されている。このデスクシステムＳは、同図に示すように本発明に係るアジャスタカバー３を具備したアジャスタ１９を有している２つのデスク１と、これらデスク１の天板１１同士を連結するための天板連結具２とを有している。同図では、一例として天板１１の反使用縁部１１ｂ同士を連結することにより２つのデスク１を連結した態様を図示しているが、勿論、２つ以上のデスク１を連結したものであっても良い。以下、このデスクシステムＳを構成する各構成要素について説明する。
【００２０】
デスク１は、平面視矩形状をなす天板１１と、この天板１１の側縁１１ｃから垂下させて設けることにより当該天板１１を下方から支持する脚体１２とを主に有している。
【００２１】
天板１１は、主に使用者の作業領域として使用され得る天板本体１３と、反使用縁部１１ｂ側の３箇所において開閉可能に配置され、配線を適宜収容し得るダクト部１４と、ダクト部１４の間に配置され、ダクト部１４のダクトカバー１４ａを回転可能に支持しているカバー支持部１５と、天板１１の側縁１１ｃであり、反使用縁部１１ｂでもある位置、すなわちコーナーに位置付けられるとともにダクトカバー１４ａを回転可能に支持しているコーナー部１６と、このコーナー部１６に設けられた、図３及び図５に示す、オプション部材を取付けるための開口１７とを有している。なおオプション部材とは、本実施形態で図示並びに説明を省略するが、例えば電話台やデスクトップパネル、又はタスクライト等、既存のデスク１に対して使用される種々の備品を指すものである。コーナー部１６は、図５に示すように、上方に露出して天板１１の上面の一部を構成する樹脂製のコーナーカバー１６ａと、脚体の上端に固定されてこのコーナーカバー１６ａと係り合うカバー取付部１６ｂとを有している。そして本実施形態ではこのカバー取付部１６ｂに形成された被係合部１７ｂが、開口１７内部に露出している。そしてこの開口１７は、図５に示すように、その内部に樹脂製の被係合部１７ｂと、金属つまり板金からなる被当接部１７ａを有している。この被当接部１７ａとは、本実施形態では脚本体１８を構成している板金の内側面が開口１７に露出しているものである。これら被係合部１７ｂ、被当接部１７ａの作用については後に詳述する。
【００２２】
脚体１２は、本実施形態では使用縁部１１ａ側の上下方向中間が大きく退避するように形成された形状、すなわち側面視コの字状の脚本体１８と、この脚本体１８の下端部１８ａに取付けられたアジャスタ１９とを有している。脚本体１８は、例えば板金材の折り曲げによって構成されたものであるが、勿論図示の態様、形状に限られることはなく、例えば矩形状のパネル脚であっても、天板１１の隅部から棒状に垂下する態様の例えばパイプ材からなる脚であっても良い。
【００２３】
アジャスタ１９は、脚体１２の下端部１８ａ前後端、すなわちデスク１当たりに４つ、それぞれ取付けられたもので、床面の面方向に旋回させることにより家具の一部、つまりアジャスタ１９以外のデスク１の前構成要素を上下移動させることにより、これらアジャスタ１９の何れかが床面から浮上することが無いようにがたつき無く、且つ、天板１１の上面を傾斜無く水平に保持するためのものである。このアジャスタ１９は、例えば中実な硬質樹脂製のアジャスタ本体１９ａと、このアジャスタ本体１９ａの上部に位置付けられた例えば平面視六角形状のナット部１９ｂと、このナット部１９ｂから上方に延出する雄ネジ部１９ｃとを一体的に有するとともに、後に詳述するアジャスタカバー３を有したものである。またこのアジャスタ本体１９ａは平面視真円形状をなす円筒状のものであり、外側面１９ｄが平面視脚体１２の範囲内に収まる程度の大きさをなすものとともに、接地面１９ｅを平坦として床面に支持させ得るようにしているものである。
【００２４】
天板連結具２は、図４に示すように、天板１１の縁部同士が密接している状態で、図１では複数のデスク１同士を連結するためのものであって、例えば平面視矩形状をなす平板状の連結具本体２１と、この連結具本体２１から２箇所において、平面視概略チャネル状に垂下した金属板材を主体とする嵌入部２２とを有している。
【００２５】
連結具本体２１は、図２ないし図４に示すように、前記天板１１の面上において平面視複数の天板１１に亘る位置に位置付けられるものである。この連結具本体２１は、上面側は開口１７への装着時に上方に大きく突出しないように平板状に形成されている。そして下面側には、２箇所において嵌入部２２を固定支持している。
【００２６】
嵌入部２２は、連結具本体２１に取付けられ、前記複数の天板１１にそれぞれ設けられたオプション取付け用の開口１７にそれぞれ嵌入するためのものである。この嵌入部２２は、先端側に設けられた平板状の当接面２３ａを有する金属製の当接部２３と、この当接部２３よりも若干上方に形成された穴に取付けられた樹脂の弾性変形により若干動作し得る係合面２４ａを有する係合部２４とを具備している。
【００２７】
ここで、この天板連結具２は図４に示したもの他、図６及び図７に示す天板連結具２を適宜用いることにより、より多くのデスク１を連結したり、多数のデスク１を所望の平面視形状に配列したりすることが可能である。
【００２８】
すなわち図６に示す天板連結具２を用いることにより、同じ方向に隣り合わせに並んだデスク１の天板１１の側縁１１ｃ同士を連結することが可能である。
【００２９】
また図７に示すような、１つの連結具本体２１に対し４つの嵌入部２２を設けた天板連結具２を用いることにより、側縁１１ｃ、反使用縁部１１ｂ同士を密着させて平面視矩形状に配列した４つのデスク１の集まりの中央部分を好適に連結することが可能である。
【００３０】
一方、アジャスタカバー３は、図８ないし図１１に示すように本実施形態ではアジャスタ１９を構成する一要素であり、アジャスタ本体１９ａに対し、係り合わせるものである。詳細には、このアジャスタカバー３はアジャスタ本体１９ａに対し下方から覆い被せるように取付ける例えば樹脂製、皮革製のものである。そして、このアジャスタカバー３は、床面に接地させるための高摩擦接地部３１と、この高摩擦接地部３１の上方においてアジャスタ本体１９ａを支持する旋回支持部３２と、旋回支持部３２に支持されたアジャスタ本体１９ａの平面視における位置の移動を禁止するための面移動禁止部３３とを一体的に設けたものである。なお、本実施形態ではこのアジャスタカバー３の一例を示すものであるが、例えばオフィスの床に使用される素材、具体的には、フローリングタイプの床やカーペットタイプの床面に応じて、材質の異なるアジャスタカバー３を適宜選択するようにしても良い。
【００３１】
高摩擦接地部３１は、例えば摩擦性の高い合成ゴム等の素材からなる平面視真円形状をなすシート状のものであり、その下面である摩擦接地面３１ａが例えばフローリングタイプの床やカーペットに対してずれ難く密着することにより、床面に対して面方向に移動不能に接地されるものである。また本実施形態の高摩擦接地部３１は単に摩擦力のみでずれがたく構成されるものに限られず、例えば表面に粘着処理が施されたものを用いても良い。
【００３２】
旋回支持部３２は、本実施形態ではその裏面（下面）に高摩擦接地部３１に対して例えば一体的に接着されているものであり、アジャスタ本体１９ａの旋回動作の際に当接しているアジャスタ本体１９ａの底面である接地面１９ｅをこの表面（上面）３２ａ上で滑らせることにより、アジャスタ本体１９ａを旋回可能に構成している。なお、アジャスタ本体１９ａの旋回動作を滑らかにすべくその表面３２ａを図示しない加工や処理が施された滑動表面３２ａとしても良い。
【００３３】
面移動禁止部３３は、旋回支持部３２の周縁から円筒状に突出した立壁状のものである。この面移動禁止部３３は、アジャスタ本体１９ａの外側面１９ｄに接し得る滑動許容面３３ａを有している。面移動禁止部３３の内径寸法はアジャスタ本体１９ａの外形寸法より僅かに大きく設定されている。そなわち、アジャスタ本体１９ａの旋回を許容しつつアジャスタカバー３に対する面方向のがたつきが無いように設定されている。これにより、アジャスタ本体１９ａの平面視の移動、換言すればアジャスタ本体１９ａの中心位置の平面視の移動を抑えるとともに、アジャスタ本体１９ａの回転を滑動許容面３３ａによって許容し得るものとなっている。なお、滑動許容面３３ａに、前記滑動表面３２ａと同様の加工や処理を施しても良い。
【００３４】
しかして、上述したオプション取付け用の開口１７と天板連結具２とを利用した本実施形態に係る連結構造Ｘは、天板１１同士を容易に位置決め、取り外しが可能であるとともに、天板連結具２の装着時には天板１１同士を強固に連結し得るものとなっている。
【００３５】
つまり、図４並びに図５に示すように、開口１７の内部には、樹脂製の被係合部１７ｂが嵌入部２２にある同じく樹脂製の係合部２４、詳細には係合面２４ａに係り合うことにより、正確に位置決めされるとともに、この状態では嵌入部２２の当接部２３が板金製の被当接部１７ａに対して当接した状態が維持されている。つまり金属同士の当接により、強固に連結されている。勿論上記の位置決めを解除する際には、連結具本体２１を手で摘んで上方へ抜くが、このときは小さな力で樹脂製の係合部２４、被係合部１７ｂの係合が解除されるので、使用者は天板連結具２を容易に引き抜くことができる。
【００３６】
このように、本実施形態に係るデスクシステムＳは、天板連結具２とオプション取付け用の開口１７とによってデスク１の天板１１同士を連結することでこれら複数のデスク１のうちの個々のデスク１が地震により激しく揺れてしまうことを互いのデスク１同士で有効に抑えている構成となっている。
【００３７】
加えてこのデスクシステムＳは、図８ないし図１１に示すように、アジャスタ１９にアジャスタカバー３を備えることにより、平面視の移動が禁止されながらも調整作業は好適に行うことができるので、常に個々のデスク１ががたつきなく、且つ、アジャスタ１９の面方向への移動を有効に禁止することで、地震の横滑りにも強く、がたつき等による天板１１上の備品等の落下、倒伏を有効に回避し得るものとなっている。
【００３８】
以上のような構成とすることにより、本実施形態に係る天板連結具２、並びに、天板連結具２と開口１７とによって実現される本実施形態に係るデスク１の連結構造Ｘによれば、天板１１に設けられたオプション取付け用の開口１７を利用して、容易且つ確実にデスク１の天板１１同士を連結し得るものとなっている。その結果、オフィス内のデスク１の配置を頻繁に変更しても、容易且つ速やかに天板１１同士を連結することにより、地震による被害を有効に抑え得る態様を簡易に実現している。
【００３９】
また、本実施形態に係る天板１１取付具は、図４、図６及び図７に示されるものを適宜選択それば、天板１１の反使用縁部１１ｂ且つ側縁１１ｃに位置付けられたコーナー部１６に位置付けられたオプション取付け用の開口１７を利用して、天板１１の側縁１１ｃ同士、或いは反使用縁部１１ｂ同士を連結することにより、所望の平面視形状に矩形状の天板１１を配列させ得るものとなっている。
【００４０】
そしてにより確実に天板１１同士を連結するために本実施形態の取付構造は、嵌入部２２に設けられた金属製の当接部２３と、前記オプション取付け用の開口１７の内部に面する金属製の被当接部１７ａとが互いに当接するようにしている。
【００４１】
また、天板１１に対する嵌入部２２の装着並びに取り外しを容易に行いつつ確実に位置決めし得る態様として本実施形態の取付構造は、嵌入部２２に設けられた樹脂性の係合部２４と、オプション取付け用の開口１７内部に面する樹脂性の被係合部１７ｂとを互いに係合させることにより、嵌入部２２がオプション取付け用の開口１７内部に位置決めされるものとなっている。
【００４２】
以上、本発明の実施形態について説明したが、各部の具体的な構成は、上述した実施形態のみに限定されるものではなく、本発明の趣旨を逸脱しない範囲で種々変形が可能である。
【００４３】
例えば、上記実施形態では板状の連結具本体を適用した態様を開示したが、勿論、棒状のもの等、板状以外の種々の形状をなしたものであってもよい。また嵌入部と開口との嵌入、係り合いの具体的な態様や天板に開口を設ける位置の具体的な態様は上記実施形態のものに限定されることはなく、既存のものを含め、種々の態様のものを適用することができる。
【００４４】
その他、各部の具体的構成についても上記実施形態に限られるものではなく、本発明の趣旨を逸脱しない範囲で種々変形が可能である。
【産業上の利用可能性】
【００４５】
本発明は複数のデスクの天板同士を連結する構造として利用することができる。
【符号の説明】
【００４６】
１…デスク
１１…天板
１１ｂ…反使用縁部
１１ｃ…側縁部
１７…オプション取付け用の開口（開口）
１７ａ被係合部
１７ｂ…被当接部
２…天板連結具
２１…連結具本体
２２…嵌入部
２３…当接部
２４…係合部
Ｘ…デスクの連結構造（連結構造）
【図１】
2012090691.tif 000003
【図２】
2012090691.tif 000004
【図３】
2012090691.tif 000005
【図４】
2012090691.tif 000006
【図５】
2012090691.tif 000007
【図６】
2012090691.tif 000008
【図７】
2012090691.tif 000009
【図８】
2012090691.tif 000010
【図９】
2012090691.tif 000011
【図１０】
2012090691.tif 000012
【図１１】
2012090691.tif 000013